(57)【要約】  本明細書では、複数のタイプを有するパケットを通信するためのシステム、方法、およびデバイスについて説明する。いくつかの態様では、パケットは圧縮ヘッダを含む。一実施形態では、第１のパケットヘッダを圧縮するために、複数の圧縮プロトコルから圧縮プロトコルが選択される。パケットは第２のパケットヘッダを含んでいることがあり、第２のパケットヘッダは、第１のパケットヘッダを圧縮するために使用された圧縮プロトコルを示す情報を含み得る。パケットは、選択された圧縮プロトコルを使用して圧縮された第１のパケットヘッダを含めて、送信され得る。
2014535204.tif 000002
【特許請求の範囲】
【請求項１】
ワイヤレスネットワークにおいて通信する方法であって、
第１の装置と第２の装置との間で通信されるデータパケットの第１のヘッダを圧縮するのに使用するため、複数の圧縮プロトコルから少なくとも１つの圧縮プロトコルを第１の装置において選択することと、
前記第１の装置から前記第２の装置に前記少なくとも１つの圧縮プロトコルを示す情報を送信することと、前記情報は、前記データパケットの第２のヘッダ中に含まれる；
前記少なくとも１つの圧縮プロトコルに基づいて圧縮された前記データパケットを前記第１の装置から前記第２の装置に送信することと
を備える、方法。
【請求項２】
前記圧縮プロトコルが、メディアアクセス制御レイヤの上のレイヤにおいてデータパケットを圧縮するように構成された、請求項１に記載の方法。
【請求項３】
前記情報の受信を示す応答メッセージを、前記第２の装置から受信することをさらに備える、請求項１に記載の方法。
【請求項４】
前記情報を送信することが、管理フレームの一部として前記情報を送信することを備える、請求項１に記載の方法。
【請求項５】
前記少なくとも１つの圧縮プロトコルを示す前記情報がリンク論理制御ヘッダ中に含まれる、請求項１に記載の方法。
【請求項６】
前記少なくとも１つの圧縮プロトコルを示す前記情報がメディアアクセス制御ヘッダ中に含まれる、請求項１に記載の方法。
【請求項７】
第１のフローの一部として前記第１の装置と前記第２の装置との間で通信されるデータパケットの第１のヘッダを圧縮するために使用する第１の圧縮プロトコルを選択することと、第２のフローの一部として前記第１の装置と前記第２の装置との間で通信されるデータパケットの第３のヘッダを圧縮するために使用する第２の圧縮プロトコルを選択することとをさらに備える、請求項１に記載の方法。
【請求項８】
前記第１の装置から前記第２の装置に第１の圧縮プロトコルを使用して圧縮された第１のヘッダをもつデータパケットを送信することと、前記第１の装置において前記第２の装置から、第２の圧縮プロトコルを使用して圧縮された第３のヘッダをもつデータパケットを受信することとをさらに備える、請求項１に記載の方法。
【請求項９】
ネゴシエーションの一部として、前記第１の装置から前記第２の装置に非圧縮ヘッダのパラメータを送信することをさらに備え、ここにおいて、前記データパケットが前記ネゴシエーションの後に送信され、前記データパケットが、前記パラメータを含まない圧縮ヘッダを備え、前記データパケットが、前記パラメータと前記圧縮ヘッダとの組合せに基づいて復号可能である、請求項１に記載の方法。
【請求項１０】
ワイヤレスネットワークにおいて通信するための第１の装置であって、
前記第１の装置と第２の装置との間で通信されるデータパケットの第１のヘッダを圧縮するために使用する複数の圧縮プロトコルから少なくとも１つの圧縮プロトコルを選択するように構成されたプロセッサと、
送信機とを備え、
前記送信機は、
前記第２の装置に前記少なくとも１つの圧縮プロトコルを示す情報を送信することであって、前記情報は、前記データパケットの第２のヘッダ中に含まれ、
前記第２の装置に前記少なくとも１つの圧縮プロトコルに基づいて圧縮された前記データパケットを送信することと
を行うように構成された、第１の装置。
【請求項１１】
前記圧縮プロトコルが、メディアアクセス制御レイヤの上のレイヤにおいてデータパケットを圧縮するように構成された、請求項１０に記載の第１の装置。
【請求項１２】
前記情報の受信を示す応答メッセージを、前記第２の装置から受信するように構成された受信機をさらに備える、請求項１０に記載の第１の装置。
【請求項１３】
前記情報を送信することが、管理フレームの一部として前記情報を送信することを備える、請求項１０に記載の第１の装置。
【請求項１４】
前記少なくとも１つの圧縮プロトコルを示す前記情報がリンク論理制御ヘッダ中に含まれる、請求項１０に記載の第１の装置。
【請求項１５】
前記少なくとも１つの圧縮プロトコルを示す前記情報がメディアアクセス制御ヘッダ中に含まれる、請求項１０に記載の第１の装置。
【請求項１６】
前記プロセッサが、第１のフローの一部として前記第１の装置と前記第２の装置との間で通信されるデータパケットの第１のヘッダを圧縮するために使用する第１の圧縮プロトコルを選択することと、第２のフローの一部として前記第１の装置と前記第２の装置との間で通信されるデータパケットの第３のヘッダを圧縮するために使用する第２の圧縮プロトコルを選択することとを行うようにさらに構成された、請求項１０に記載の第１の装置。
【請求項１７】
前記送信機が、前記第１の装置から前記第２の装置に第１の圧縮プロトコルを使用して圧縮された第１のヘッダをもつデータパケットを送信するようにさらに構成され、前記第１の装置において前記第２の装置から、第２の圧縮プロトコルを使用して圧縮された第３のヘッダをもつデータパケットを受信するように構成された受信機をさらに備える、請求項１０に記載の第１の装置。
【請求項１８】
前記送信機が、ネゴシエーションの一部として、前記第１の装置から前記第２の装置に非圧縮ヘッダのパラメータを送信するようにさらに構成され、ここにおいて、前記データパケットが前記ネゴシエーションの後に送信され、前記データパケットが、前記パラメータを含まない圧縮ヘッダを備え、前記データパケットが、前記パラメータと前記圧縮ヘッダとの組合せに基づいて復号可能である、請求項１０に記載の第１の装置。
【請求項１９】
ワイヤレスネットワークにおいて通信するための第１の装置であって、
前記第１の装置と第２の装置との間で通信されるデータパケットの第１のヘッダを圧縮するために使用する複数の圧縮プロトコルから少なくとも１つの圧縮プロトコルを選択するための手段と、
前記少なくとも１つの圧縮プロトコルを示す情報を前記第１の装置から前記第２の装置に送信するための手段であって、前記情報は、前記データパケットの第２のヘッダ中に含まれ、
前記少なくとも１つの圧縮プロトコルに基づいて圧縮された前記データパケットを前記第１の装置から前記第２の装置に送信するための手段と
を備える、第１の装置。
【請求項２０】
前記圧縮プロトコルが、メディアアクセス制御レイヤの上のレイヤにおいてデータパケットを圧縮するように構成された、請求項１９に記載の第１の装置。
【請求項２１】
前記情報の受信を示す応答メッセージを、前記第２の装置から受信するための手段をさらに備える、請求項１９に記載の第１の装置。
【請求項２２】
前記情報を送信するための手段が、管理フレームの一部として前記情報を送信するための手段を備える、請求項１９に記載の第１の装置。
【請求項２３】
前記少なくとも１つの圧縮プロトコルを示す前記情報がリンク論理制御ヘッダ中に含まれる、請求項１９に記載の第１の装置。
【請求項２４】
前記少なくとも１つの圧縮プロトコルを示す前記情報がメディアアクセス制御ヘッダ中に含まれる、請求項１９に記載の第１の装置。
【請求項２５】
第１のフローの一部として前記第１の装置と前記第２の装置との間で通信されるデータパケットの第１のヘッダを圧縮するために使用する第１の圧縮プロトコルを選択するための手段と、第２のフローの一部として前記第１の装置と前記第２の装置との間で通信されるデータパケットの第３のヘッダを圧縮するために使用する第２の圧縮プロトコルを選択するための手段とをさらに備える、請求項１９に記載の第１の装置。
【請求項２６】
前記第１の装置から前記第２の装置に第１の圧縮プロトコルを使用して圧縮された第１のヘッダをもつデータパケットを送信するための手段と、前記第１の装置において前記第２の装置から、第２の圧縮プロトコルを使用して圧縮された第３のヘッダをもつデータパケットを受信するための手段とをさらに備える、請求項１９に記載の第１の装置。
【請求項２７】
ネゴシエーションの一部として、前記第１の装置から前記第２の装置に非圧縮ヘッダのパラメータを送信するための手段をさらに備え、前記データパケットが前記ネゴシエーションの後に送信され、前記データパケットが、前記パラメータを含まない圧縮ヘッダを備え、前記データパケットが、前記パラメータと前記圧縮ヘッダとの組合せに基づいて復号可能である、請求項１９に記載の第１の装置。
【請求項２８】
実行されたとき、第１の装置に、
前記第１の装置と第２の装置との間で通信されるデータパケットの第１のヘッダを圧縮するために使用する複数の圧縮プロトコルから少なくとも１つの圧縮プロトコルを選択することと、
前記少なくとも１つの圧縮プロトコルを示す情報を前記第１の装置から前記第２の装置に送信することであって、前記情報は、前記データパケットの第２のヘッダ中に含まれ、
前記少なくとも１つの圧縮プロトコルに基づいて圧縮された前記データパケットを前記第１の装置から前記第２の装置に送信することと
を行わせる命令を備えるコンピュータ可読媒体。
【請求項２９】
前記圧縮プロトコルが、メディアアクセス制御レイヤの上のレイヤにおいてデータパケットを圧縮するように構成された、請求項２８に記載のコンピュータ可読媒体。
【請求項３０】
前記命令が、実行されたとき、前記第１の装置にさらに、前記情報の受信を示す応答メッセージを、前記第２の装置から受信させる、請求項２８に記載のコンピュータ可読媒体。
【請求項３１】
前記情報を送信することが、前記情報を管理フレームの一部として送信することを備える、請求項２８に記載のコンピュータ可読媒体。
【請求項３２】
前記少なくとも１つの圧縮プロトコルを示す前記情報がリンク論理制御ヘッダ中に含まれる、請求項２８に記載のコンピュータ可読媒体。
【請求項３３】
前記少なくとも１つの圧縮プロトコルを示す前記情報がメディアアクセス制御ヘッダ中に含まれる、請求項２８に記載のコンピュータ可読媒体。
【請求項３４】
前記命令が、実行されたとき、前記第１の装置にさらに、第１のフローの一部として前記第１の装置と前記第２の装置との間で通信されるデータパケットの第１のヘッダを圧縮するために使用する第１の圧縮プロトコルを選択することと、第２のフローの一部として前記第１の装置と前記第２の装置との間で通信されるデータパケットの第３のヘッダを圧縮するために使用する第２の圧縮プロトコルを選択することとを行わせる、請求項２８に記載のコンピュータ可読媒体。
【請求項３５】
前記命令が、実行されたとき、前記第１の装置にさらに、前記第１の装置から前記第２の装置に第１の圧縮プロトコルを使用して圧縮された第１のヘッダをもつデータパケットを送信させ、前記命令が、実行されたとき、前記第１の装置にさらに、前記第１の装置において前記第２の装置から、第２の圧縮プロトコルを使用して圧縮された第３のヘッダをもつデータパケットを受信させる、請求項２８に記載のコンピュータ可読媒体。
【請求項３６】
前記命令が、実行されたとき、前記第１の装置にさらに、ネゴシエーションの一部として、前記第１の装置から前記第２の装置に非圧縮ヘッダのパラメータを送信させ、前記データパケットが前記ネゴシエーションの後に送信され、前記データパケットが、前記パラメータを含まない圧縮ヘッダを備え、前記データパケットが、前記パラメータと前記圧縮ヘッダとの組合せに基づいて復号可能である、請求項２８に記載のコンピュータ可読媒体。
【発明の詳細な説明】
【技術分野】
【０００１】
関連出願の相互参照
本出願は、その開示の全体が参照により本明細書に組み込まれる、２０１１年１０月２２日に出願された「SYSTEMS AND METHODS FOR HEADER COMPRESSION」と題する米国仮特許出願第６１／５５０，３８８号に対する、米国特許法第１１９条（ｅ）項に基づく利益を主張する。
【０００２】
本出願は、一般にワイヤレス通信に関し、より詳細には、通信のためにヘッダを圧縮するためのシステム、方法、およびデバイスに関する。
【背景技術】
【０００３】
多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）として指定されるであろう。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００４】
ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用して、非誘導伝搬モードで無形物理媒体を採用する。ワイヤレスネットワークは、固定ワイヤードネットワークと比較して、ユーザモビリティと迅速なフィールド展開とを有利な形で可能にする。
【０００５】
ワイヤレスネットワーク中のデバイスは、互いの間で情報を送信／受信し得る。情報は、いくつかの態様ではデータユニットまたはデータフレームと呼ばれることがあるパケットを備え得る。パケットは、ネットワークを介してパケットをルーティングすること、パケット中のデータを識別すること、パケットを処理することなどを行うのに役立つオーバーヘッド情報（たとえば、ヘッダ情報、パケットプロパティなど）、ならびに、パケットのペイロード中で搬送され得るようなデータ、たとえばユーザデータ、マルチメディアコンテンツなどを含み得る。
【０００６】
したがって、ヘッダ情報はパケットを用いて送信される。そのようなヘッダ情報は、データパケットの大きい部分を備え得る。したがって、そのようなパケット中でのデータの送信は、データを送信するための帯域幅の大部分が、実際のデータではなくヘッダ情報を送信するために使用され得ることにより、非効率的であり得る。したがって、パケットを通信するための改善されたシステム、方法、およびデバイスが望まれる。
【発明の概要】
【０００７】
本発明のシステム、方法、およびデバイスは、それぞれいくつかの態様を有し、それらのうちの単一の態様が単独で本発明の望ましい属性を担当しない。次に、以下の特許請求の範囲によって表される本発明の範囲を限定することなしに、いくつかの特徴について手短に説明する。この説明を考察すれば、特に「発明を実施するための形態」と題するセクションを読めば、本発明の特徴が、パケットのための圧縮ヘッダの使用を可能にし、それによって、データパケット中でペイロードを送信する際のオーバーヘッドを低減することを含む利点をどのように提供するかが理解されよう。
【０００８】
本開示の一態様は、ワイヤレスネットワークにおいて通信する方法を提供する。本方法は、第１の装置において、第１の装置と第２の装置との間で通信されるデータパケットの第１のヘッダを圧縮するために使用するように複数の圧縮プロトコルから少なくとも１つの圧縮プロトコルを選択することを備える。本方法は、少なくとも１つの圧縮プロトコルを示す情報を第１の装置から第２の装置に送信することであって、情報がデータパケットの第２のヘッダ中に含まれる、情報を送信することを備える。本方法は、少なくとも１つの圧縮プロトコルに基づいて圧縮されたデータパケットを第１の装置から第２の装置に送信することを備える。
【０００９】
本開示の別の態様は、ワイヤレスネットワークにおいて通信するための第１の装置を提供する。第１の装置は、第１の装置と第２の装置との間で通信されるデータパケットの第１のヘッダを圧縮するために使用する少なくとも１つの圧縮プロトコルを複数の圧縮プロトコルから選択するように構成されたプロセッサを備える。第１の装置は送信機を備える。送信機は、少なくとも１つの圧縮プロトコルを示す情報を第２の装置に送信することであって、情報がデータパケットの第２のヘッダ中に含まれる、情報を送信することを行うように構成される。送信機は、少なくとも１つの圧縮プロトコルに基づいて圧縮されたデータパケットを第２の装置に送信するように構成される。
【００１０】
本開示の別の態様は、ワイヤレスネットワークにおいて通信するための第１の装置を提供する。第１の装置は、第１の装置と第２の装置との間で通信されるデータパケットの第１のヘッダを圧縮するために使用する少なくとも１つの圧縮プロトコルを複数の圧縮プロトコルから選択するための手段を備える。第１の装置は、少なくとも１つの圧縮プロトコルを示す情報を第１の装置から第２の装置に送信するための手段であって、情報がデータパケットの第２のヘッダ中に含まれる、情報を送信するための手段を備える。第１の装置は、少なくとも１つの圧縮プロトコルに基づいて圧縮されたデータパケットを第１の装置から第２の装置に送信するための手段を備える。
【００１１】
本開示の別の態様は、命令を備えるコンピュータ可読媒体を提供する。命令は、実行されたとき、第１の装置に、第１の装置において、第１の装置と第２の装置との間で通信されるデータパケットの第１のヘッダを圧縮するために使用する少なくとも１つの圧縮プロトコルを複数の圧縮プロトコルから選択させる。命令は、実行されたとき、第１の装置に、少なくとも１つの圧縮プロトコルを示す情報を第１の装置から第２の装置に送信することであって、情報がデータパケットの第２のヘッダ中に含まれる、情報を送信することを行わせる。命令は、実行されたとき、第１の装置に、少なくとも１つの圧縮プロトコルに基づいて圧縮されたデータパケットを第１の装置から第２の装置に送信させる。
【図面の簡単な説明】
【００１２】
【図１】本開示の態様が採用され得るワイヤレス通信システムの一例を示す図。
【図２】図１のワイヤレス通信システム内で採用され得るワイヤレスデバイスにおいて利用され得る、受信機を含む様々な構成要素を示す図。
【図３】圧縮プロトコルの使用をネゴシエートするための方法の一態様を示す図。
【図４】ワイヤレス通信システム内で採用され得る別の例示的なワイヤレスデバイスの機能ブロック図。
【図５】圧縮プロトコルを使用して、圧縮ヘッダを有するデータパケットを通信するための方法の一態様を示す図。
【図６】ワイヤレス通信システム内で採用され得る別の例示的なワイヤレスデバイスの機能ブロック図。
【図７】データパケットのための例示的なパケット構造を示す図。
【図８】データパケットのための例示的なパケット構造を示す図。
【図９】データパケットのための例示的なパケット構造を示す図。
【図１０】データパケットのための例示的なＬＬＣ＋ＳＮＡＰヘッダを示す図。
【発明を実施するための形態】
【００１３】
添付の図面を参照しながら新規のシステム、装置、および方法の様々な態様について以下でより十分に説明する。ただし、本開示の教示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるように与えるものである。本明細書の教示に基づいて、本開示の範囲は、本発明の他の態様とは無関係に実装されるにせよ、本発明の他の態様と組み合わされるにせよ、本明細書で開示する新規のシステム、装置、および方法のいかなる態様をもカバーするものであることを、当業者なら諒解されたい。たとえば、本明細書に記載の態様をいくつ使用しても、装置は実装され得、または方法は実施され得る。さらに、本発明の範囲は、本明細書に記載の本発明の様々な態様に加えてまたはそれらの態様以外に、他の構造、機能、または構造および機能を使用して実施されるそのような装置または方法をカバーするものとする。本明細書で開示する任意の態様が請求項の１つまたは複数の要素によって実施され得ることを理解されたい。
【００１４】
本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図および好適な態様についての以下の説明において示す。発明を実施するための形態および図面は、本開示を限定するものではなく説明するものにすぎず、本開示の範囲は添付の特許請求の範囲およびそれの均等物によって定義される。
【００１５】
普及しているワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを互いに相互接続するために使用され得る。本明細書で説明する様々な態様は、ＷｉＦｉ（登録商標）、またはより一般的には、ワイヤレスプロトコルのＩＥＥＥ８０２．１１ファミリーの任意のメンバーなど、任意の通信規格に適用され得る。たとえば、本明細書で説明する様々な態様は、サブ１ＧＨｚ帯域を使用するＩＥＥＥ８０２．１１ａｈプロトコルの一部として使用され得る。
【００１６】
いくつかの態様では、サブギガヘルツ帯域中のワイヤレス信号は、直交周波数分割多重（ＯＦＤＭ）、直接シーケンススペクトル拡散（ＤＳＳＳ：direct-sequence spread spectrum）通信、ＯＦＤＭとＤＳＳＳ通信との組合せ、または他の方式を使用して、８０２．１１ａｈプロトコルに従って送信され得る。８０２．１１ａｈプロトコルの実装形態は、センサー、メータリング、およびスマートグリッドネットワークのために使用され得る。有利には、８０２．１１ａｈプロトコルを実装するいくつかのデバイスの態様は、他のワイヤレスプロトコルを実装するデバイスよりも少ない電力を消費し得、および／または比較的長い距離、たとえば約１キロメートル以上にわたってワイヤレス信号を送信するために使用され得る。
【００１７】
いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）および（局または「ＳＴＡ」とも呼ばれる）クライアントが存在し得る。概して、ＡＰはＷＬＡＮのためのハブまたは基地局として働き、ＳＴＡはＷＬＡＮのユーザとして働く。たとえば、ＳＴＡはラップトップコンピュータ、携帯情報端末（ＰＤＡ）、モバイル電話などであり得る。一例では、ＳＴＡは、インターネットまたは他のワイドエリアネットワークへの一般的接続性を取得するためにＷｉＦｉ（たとえば、８０２．１１ａｈなどのＩＥＥＥ８０２．１１プロトコル）準拠ワイヤレスリンクを介してＡＰに接続する。いくつかの実装形態では、ＳＴＡはＡＰとして使用されることもある。
【００１８】
アクセスポイント（「ＡＰ」）はまた、ノードＢ、無線ネットワークコントローラ（「ＲＮＣ」）、ｅノードＢ、基地局コントローラ（「ＢＳＣ」）、送受信基地局（「ＢＴＳ」）、基地局（「ＢＳ」）、トランシーバ機能（「ＴＦ」）、無線ルータ、無線トランシーバ、または何らかの他の用語を備えるか、それらのいずれかとして実装されるか、あるいはそれらのいずれかとして知られていることがある。
【００１９】
局「ＳＴＡ」はまた、アクセス端末（「ＡＴ」）、加入者局、加入者ユニット、移動局、リモート局、リモート端末、ユーザ端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００２０】
上記で説明したように、本明細書で説明するデバイスのいくつかは、たとえば、８０２．１１ａｈ規格を実装し得る。そのようなデバイスは、ＳＴＡとして使用されるにせよ、ＡＰとして使用されるにせよ、他のデバイスとして使用されるにせよ、スマートメータリングのためにまたはスマートグリッドネットワークにおいて使用され得る。そのようなデバイスは、センサーアプリケーションを与えるか、またはホームオートメーションにおいて使用され得る。デバイスは、代わりにまたは追加として、たとえばパーソナルヘルスケアのためにヘルスケアコンテキストにおいて使用され得る。それらのデバイスはまた、（たとえばホットスポットとともに使用する）拡張された範囲のインターネット接続性を可能にするために、またはマシンツーマシン通信を実装するために、監視のために使用され得る。
【００２１】
図１に、本開示の態様が採用され得るワイヤレス通信システム１００の一例を示す。ワイヤレス通信システム１００は、ＳＴＡ１０６と通信するＡＰ１０４を含み得る。
【００２２】
様々なプロセスおよび方法は、ＡＰ１０４とＳＴＡ１０６との間の、ワイヤレス通信システム１００における送信のために使用され得る。たとえば、信号は、ＯＦＤＭ／ＯＦＤＭＡ技法に従って、ＡＰ１０４とＳＴＡ１０６との間で送信および受信され得る。この場合、ワイヤレス通信システム１００はＯＦＤＭ／ＯＦＤＭＡシステムと呼ばれることがある。代替的に、信号は、ＣＤＭＡ技法に従って、ＡＰ１０４とＳＴＡ１０６との間で送信および受信され得る。この場合、ワイヤレス通信システム１００はＣＤＭＡシステムと呼ばれることがある。
【００２３】
ＡＰ１０４からＳＴＡ１０６のうちの１つまたは複数への送信を可能にする通信リンクはダウンリンク（ＤＬ）１０８と呼ばれることがあり、ＳＴＡ１０６のうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００２４】
ＡＰ１０４は、基本サービスエリア（ＢＳＡ）１０２においてワイヤレス通信カバレージを与え得る。ワイヤレス通信システム１００は、中央ＡＰ１０４を有しないことがあり、むしろ、ＳＴＡ１０６間のピアツーピアネットワークとして機能し得ることに留意されたい。したがって、本明細書で説明するＡＰ１０４の機能は、ＳＴＡ１０６のうちの１つまたは複数によって代替的に実行され得る。
【００２５】
図２に、ワイヤレス通信システム１００内で採用され得るワイヤレスデバイス２０２において利用され得る様々な構成要素を示す。ワイヤレスデバイス２０２は、本明細書で説明する様々な方法を実装するように構成され得るデバイスの一例である。たとえば、ワイヤレスデバイス２０２は、ＡＰ１０４を備えるかまたはＳＴＡ１０６のうちの１つを備え得る。
【００２６】
ワイヤレスデバイス２０２は、ワイヤレスデバイス２０２の動作を制御するプロセッサ２０４を含み得る。プロセッサ２０４は中央処理ユニット（ＣＰＵ）と呼ばれることもある。読取り専用メモリ（ＲＯＭ）とランダムアクセスメモリ（ＲＡＭ）の両方を含み得るメモリ２０６は、命令とデータとをプロセッサ２０４に与える。メモリ２０６の一部分は不揮発性ランダムアクセスメモリ（ＮＶＲＡＭ）をも含み得る。プロセッサ２０４は、一般に、メモリ２０６内に記憶されたプログラム命令に基づいて論理演算と算術演算とを実行する。メモリ２０６中の命令は、本明細書で説明する方法を実装するように実行可能であり得る。
【００２７】
ワイヤレスデバイス２０２が送信ノードとして実装または使用されるとき、プロセッサ２０４は、ヘッダを圧縮するために複数の圧縮プロトコルのうちの１つを選択することと、選択された圧縮プロトコルに関連する圧縮ヘッダを有するパケットを生成することとを行うように構成され得る。さらに、プロセッサ２０４は、特定の圧縮プロトコルの使用を別のワイヤレスデバイスとネゴシエートするために要求メッセージおよび／または応答メッセージを生成および／または処理し得る。
【００２８】
ワイヤレスデバイス２０２が受信ノードとして実装または使用されるとき、プロセッサ２０４は、圧縮ヘッダ(compression protocols)を有するパケットを受信し、処理するように構成され得る。さらに、プロセッサ２０４は、特定の圧縮プロトコル(compressed header)の使用を別のワイヤレスデバイスとネゴシエートするために要求メッセージおよび／または応答メッセージを生成および／または処理し得る。
【００２９】
プロセッサ２０４は、１つまたは複数のプロセッサとともに実装された処理システムを備えるか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実行することができる任意の他の好適なエンティティの任意の組合せを用いて実装され得る。
【００３０】
処理システムは、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含み得る。命令は、１つまたは複数のプロセッサによって実行されたとき、本明細書で説明する様々な機能を処理システムに実行させる。
【００３１】
ワイヤレスデバイス２０２は、ワイヤレスデバイス２０２と遠隔ロケーションとの間のデータの送信および受信を可能にするために送信機２１０および／または受信機２１２を含み得る、ハウジング２０８をも含み得る。送信機２１０と受信機２１２とは組み合わされてトランシーバ２１４になり得る。アンテナ２１６は、ハウジング２０８に取り付けられ、トランシーバ２１４に電気的に結合され得る。ワイヤレスデバイス２０２は、複数の送信機、複数の受信機、複数のトランシーバ、および／または複数のアンテナをも含み得る（図示せず）。
【００３２】
送信機２１０は、特定の圧縮プロトコルの使用を別のワイヤレスデバイスとネゴシエートするために要求メッセージおよび／または応答メッセージをワイヤレス送信するように構成され得る。さらに、送信機２１０は、圧縮ヘッダを有するパケットをワイヤレス送信するように構成され得る。
【００３３】
受信機２１２は、特定の圧縮プロトコルの使用を別のワイヤレスデバイスとネゴシエートするために要求メッセージおよび／または応答メッセージをワイヤレス受信するように構成され得る。さらに、送信機２１０は、圧縮ヘッダを有するパケットをワイヤレス受信するように構成され得る。
【００３４】
ワイヤレスデバイス２０２は、トランシーバ２１４によって受信された信号のレベルを検出し、定量化するために使用され得る、信号検出器２１８をも含み得る。信号検出器２１８は、そのような信号を、総エネルギー、シンボルごとのサブキャリア当たりのエネルギー、電力スペクトル密度、および他の信号として検出し得る。ワイヤレスデバイス２０２は、信号を処理する際に使用するデジタル信号プロセッサ（ＤＳＰ）２２０をも含み得る。ＤＳＰ２２０は、送信のためにパケットを生成するように構成され得る。いくつかの態様では、パケットは物理レイヤデータユニット（ＰＰＤＵ）を備え得る。
【００３５】
ワイヤレスデバイス２０２は、いくつかの態様ではユーザインターフェース２２２をさらに備え得る。ユーザインターフェース２２２は、キーパッド、マイクロフォン、スピーカー、および／またはディスプレイを備え得る。ユーザインターフェース２２２は、ワイヤレスデバイス２０２のユーザに情報を伝達し、および／またはユーザからの入力を受信する、任意の要素または構成要素を含み得る。
【００３６】
ワイヤレスデバイス２０２の様々な構成要素は、バスシステム２２６によって互いに結合され得る。バスシステム２２６は、たとえば、データバスを含み得、ならびに、データバスに加えて、電力バス、制御信号バス、およびステータス信号バスを含み得る。ワイヤレスデバイス２０２の構成要素が、何らかの他の機構を使用して、互いに結合されるかあるいは互いに入力を受け付けるかまたは与え得ることを当業者なら諒解されよう。
【００３７】
図２には、いくつかの別個の構成要素が示されているが、構成要素のうちの１つまたは複数が組み合わせられ得るかまたは共通に実装され得ることを当業者は認識されよう。たとえば、プロセッサ２０４は、プロセッサ２０４に関して上記で説明した機能を実装するためだけでなく、信号検出器２１８および／またはＤＳＰ２２０に関して上記で説明した機能を実装するためにも使用され得る。さらに、図２に示す構成要素の各々は、複数の別個の要素を使用して実装され得る。
【００３８】
参照しやすいように、ワイヤレスデバイス２０２が送信ノードとして構成されるとき、それを以下ではワイヤレスデバイス２０２ｔと呼ぶ。同様に、ワイヤレスデバイス２０２が受信ノードとして構成されるとき、それを以下ではワイヤレスデバイス２０２ｒと呼ぶ。ワイヤレス通信システム１００中のデバイスは、送信ノードの機能のみ、受信ノードの機能のみ、または送信ノードと受信ノードの両方の機能を実装し得る。
【００３９】
上記で説明したように、ワイヤレスデバイス２０２は、ＡＰ１０４またはＳＴＡ１０６を備え得、複数のＭＡＣヘッダタイプ(MAC header types)を有する通信を送信および／または受信するために使用され得る。
【００４０】
上記で説明したように、ワイヤレスデバイス２０２ｔはワイヤレスデバイス２０２ｒと通信し得る。たとえば、ワイヤレスデバイス２０２ｔはワイヤレスデバイス２０２ｒにデータパケットを送信し得る。ワイヤレスデバイス２０２ｔは、異なるタイプのデータパケットを送信するように構成され得る。特に、データパケットは非圧縮ヘッダ(uncompressed header)または圧縮ヘッダを利用し得る。圧縮ヘッダは圧縮ヘッダの複数のタイプのうちの１つであり得る。各ヘッダは、本明細書でさらに説明する複数の圧縮プロトコル（たとえば、非圧縮プロトコル(uncompressed header)、ＷｉＦｉプロトコル上のロバストヘッダ圧縮（ＲＯＨＣ：robust header compression）、フローベースヘッダ圧縮プロトコル、ＷｉＦｉプロトコルのための修正された６ＬｏＷＰＡＮなど）のうちの１つに基づいて定義され得る。したがって、ワイヤレスデバイス２０２ｒが、ワイヤレスデバイス２０２ｔによって送信されたデータパケットを適切に復号するために、ワイヤレスデバイス２０２ｒは、ワイヤレスデバイス２０２ｔが、データパケットのためのヘッダを生成する際にどの圧縮プロトコルを使用したか（すなわち、どんなタイプのヘッダがデータパケット中にあるか）を判断する必要があり得る。一態様では、圧縮プロトコルを実装するために、通信のために使用される開放型システム間相互接続（ＯＳＩ）モデルのメディアアクセス制御（ＭＡＣ）レイヤ(Media Access Control Layer)の上にある圧縮レイヤが定義される。たとえば、ＯＳＩモデルは、最下位レイヤにおいて開始し最上位レイヤに至るレイヤの階層（すなわち、物理レイヤ、データリンクレイヤ、ネットワークレイヤ、トランスポートレイヤ、セッションレイヤ、プレゼンテーションレイヤ、およびアプリケーションレイヤ）を定義する。ＭＡＣレイヤはデータリンクレイヤのサブレイヤである。したがって、圧縮レイヤは、レイヤの階層中でＭＡＣレイヤの上にある新しいレイヤまたはサブレイヤとして定義され得る。したがって、圧縮レイヤは、データパケットのためにどの圧縮プロトコルが使用されるべきかと、圧縮ヘッダ中に含まれる要素とを指定する。
【００４１】
一態様では、デバイス２０２ｔおよびデバイス２０２ｒは、デバイス２０２ｔとデバイス２０２ｒとの間で通信されるデータパケットのための特定の圧縮プロトコルの使用をネゴシエートし得る。デバイス２０２ｔおよび２０２ｒは、使用されるべき圧縮プロトコルを示すメッセージまたはシグナリングを互いの間で交換することによってネゴシエートし得る。一態様では、そのようなメッセージ交換またはシグナリングは、ＭＡＣレイヤ（たとえば、８０２．１１ＭＡＣレイヤ）における機構を定義することによってＭＡＣレイヤにおいて行われ得る。
【００４２】
いくつかの態様では、メッセージ交換またはシグナリングは、情報要素の送信を通して行われ得る。情報要素は１つまたは複数のビットを備え得る。情報要素の値は、どの（１つまたは複数の）圧縮プロトコルが使用されるべきか、および／または圧縮プロトコルのパラメータを示し得る。情報要素を受信するデバイスはさらに、情報要素の受信と、情報要素によって定義された（１つまたは複数の）圧縮プロトコルの使用とに肯定応答し得る。
【００４３】
パラメータは、ワイヤレスデバイス２０２ｔとワイヤレスデバイス２０２ｒとの間で通信される、１つのパケットから別のパケットへの静的または半静的な（たとえば、しばしば変化しない）ヘッダ情報を含み得る。したがって、そのようなヘッダ情報は、デバイスの各々において交換および記憶され、圧縮ヘッダを有するデータパケットを復号するために使用され得る。圧縮ヘッダ自体は、しばしば変化する情報のみを有し得る。データパケットの圧縮ヘッダからの情報は、データパケットを復号するために、メッセージ交換またはシグナリング中で受信された静的または半静的なヘッダ情報とともに使用され得る。
【００４４】
一態様では、情報要素は、ワイヤレスデバイス２０２ｔからワイヤレスデバイス２０２ｒに送信され、ワイヤレスデバイス２０２ｔからワイヤレスデバイス２０２ｒへの送信のためにどの圧縮プロトコルが使用されるかを示すが、ワイヤレスデバイス２０２ｒからワイヤレスデバイス２０２ｔへの送信のためにどの圧縮プロトコルが使用されるかを示さない。さらに、ワイヤレスデバイス２０２ｒは、情報要素の受信と、情報要素によって定義された（１つまたは複数の）圧縮プロトコルの使用とに肯定応答するメッセージを送り得る。そのような態様では、ワイヤレスデバイス２０２ｒは、ワイヤレスデバイス２０２ｒからワイヤレスデバイス２０２ｔへの送信のためにどの圧縮プロトコルが使用されるかを示す別の情報要素をワイヤレスデバイス２０２ｔに送信し得る。さらに、ワイヤレスデバイス２０２ｔは、情報要素の受信と、情報要素によって定義された（１つまたは複数の）圧縮プロトコルの使用とに肯定応答するメッセージを送り得る。
【００４５】
別の態様では、情報要素は、ワイヤレスデバイス２０２ｔからワイヤレスデバイス２０２ｒに送信され、ワイヤレスデバイス２０２ｔからワイヤレスデバイス２０２ｒへの送信のためにどの圧縮プロトコルが使用されるかと、ワイヤレスデバイス２０２ｒからワイヤレスデバイス２０２ｔへの送信のためにどの圧縮プロトコルが使用されるかとを示す。そのような態様では、両方向における送信は、圧縮プロトコルの使用を同様に定義し得る。さらに、ワイヤレスデバイス２０２ｒは、情報要素の受信と、情報要素によって定義された（１つまたは複数の）圧縮プロトコルの使用とに肯定応答するメッセージを送り得る。
【００４６】
いくつかの態様では、情報要素は、管理フレーム(management frame)中でワイヤレスデバイス２０２ｔからワイヤレスデバイス２０２ｒに送られ得る。一態様では、情報要素は、ＭＡＣヘッダ(Media Access Control Header)など、既存の管理フレームの一部として送られ得る。別の態様では、情報要素は、圧縮要求管理フレームなど、新しい管理フレーム中で送られ得る。さらに、ワイヤレスデバイス２０２ｒは、情報要素の受信と、情報要素によって定義された（１つまたは複数の）圧縮プロトコルの使用とに肯定応答するメッセージを送り得る。たとえば、肯定応答は、圧縮応答管理フレームなど、新しい管理フレーム中で送られ得る。
【００４７】
上記で説明したように、メッセージ交換またはシグナリングは、どの（１つまたは複数の）圧縮プロトコルが使用されるべきか、および／または圧縮プロトコルのパラメータを示し得る。たとえば、メッセージ交換またはシグナリングは、ワイヤレスデバイス２０２ｔからワイヤレスデバイス２０２ｒへのすべての通信のために１つの圧縮プロトコルが使用されるべきであり、および／またはその逆も同様であることを（本質的にまたは明示的に）示し得る。したがって、メッセージ交換またはシグナリングの後にパケットを受信するデバイスは、さらなるシグナリングなしに、パケットがその１つの圧縮プロトコルを使用することに気づいている。
【００４８】
別の例では、メッセージ交換またはシグナリングは、ワイヤレスデバイス２０２ｔからワイヤレスデバイス２０２ｒに通信される異なるパケットのために、異なる圧縮プロトコルが使用されるべきであり、および／またはその逆も同様であることを（本質的にまたは明示的に）示し得る。したがって、メッセージ交換またはシグナリングの後にパケットを受信するデバイスは、パケットのためにどの圧縮プロトコルが使用されたかを識別するインジケータをパケット中で探し得る。たとえば、インジケータの異なる値は、異なる通信プロトコルに関連し得る。通信プロトコルへのインジケータ値のマッピングは（たとえば、事前プログラムされた）デバイスによって本質的に知られ得る。代替または追加として、通信プロトコルへのインジケータ値のマッピングは（たとえば、情報要素に基づいて）メッセージ交換またはシグナリングを介して明示的に示され得る。たとえば、圧縮要求管理フレーム(compression request management frame)および圧縮応答管理フレーム(compression response management frame)は、ワイヤレスデバイス２０２ｔとワイヤレスデバイス２０２ｒとの間に複数の圧縮プロファイル(compression profiles)をセットアップするために使用され得る。各プロファイルは、異なる圧縮プロトコルに関連し、数値によって識別され得る。インジケータは、したがって、データパケットのために使用された圧縮プロトコルに基づく適切な数値を有し得る。
【００４９】
いくつかの態様では、インジケータは、ワイヤレスデバイス２０２ｔとワイヤレスデバイス２０２ｒとの間で通信されるデータパケット中の既存のフィールドについての新しい値としてワイヤレスデバイス２０２ｔからワイヤレスデバイス２０２ｒに送られ得る。たとえば、インジケータは、データパケットの論理リンク制御（ＬＬＣ）ヘッダ(logic link control header)、サブネットワークアクセスプロトコル（ＳＮＡＰ）ヘッダ(subnetwork access protocol header)、またはＬＬＣ＋ＳＮＡＰヘッダ中に含まれるイーサタイプフィールドについての新しい値として送られ得る。
【００５０】
別の例では、インジケータは、データパケットのＭＡＣヘッダ中に含まれるフィールドについての新しい値として送られ得る。別の例では、使用されるべき圧縮プロトコルのために新しいサービスアクセスポイントが定義され、インジケータは、ＬＬＣ＋サブネットワークアクセスプロトコル（ＳＮＡＰ）ヘッダ中のＳＮＡＰヘッダ中の新しい値を備える。
【００５１】
図７に、データパケットのための例示的なパケット構造７００を示す。データパケット７００は、物理レイヤ（ＰＨＹ）ヘッダ７０２と、ＭＡＣヘッダ７０４と、（ＬＬＣ＋ＳＮＡＰであり得る）ＬＬＣヘッダ７０６と、ペイロード７０８とを備える。一態様では、インジケータは、ＬＬＣヘッダ７０６のイーサタイプフィールドについての新しい値として送られ得る。
【００５２】
図８に、データパケットのための例示的なパケット構造８００を示す。データパケット８００は、物理レイヤ（ＰＨＹ）ヘッダ８０２と、ＭＡＣヘッダ８０４と、ペイロード８０８とを備えるが、ＬＬＣヘッダを含まない。一態様では、ＬＬＣヘッダ全体ではなく、イーサタイプフィールドがＭＡＣヘッダ８０４に追加され得る。インジケータは、イーサタイプフィールドについての新しい値として送られ得る。
【００５３】
図９に、データパケットのための例示的なパケット構造９００を示す。データパケット９００は、物理レイヤ（ＰＨＹ）ヘッダ９０２と、ＭＡＣヘッダ９０４と、（ＬＬＣ＋ＳＮＡＰであり得る）ＬＬＣヘッダ９０６と、ペイロード９０８とを備える。一態様では、インジケータは、ＭＡＣヘッダ９０４中のフィールドについての新しい値として送られ得る。
【００５４】
図１０に、データパケットのための例示的なＬＬＣ＋ＳＮＡＰヘッダ１０００を示す。ＬＬＣ＋ＳＮＡＰヘッダ１０００は、ＬＬＣヘッダ１００２と、ＳＮＡＰヘッダ１００４とを備える。ＬＬＣヘッダ１００２は３つのオクテット(octets)１００６を備える。さらに、ＳＮＡＰヘッダ１００４は５つのオクテット１００６を備える。ＳＮＡＰヘッダ１００４の最初の３つのオクテットは、３つのオクテットのＩＥＥＥ組織固有識別子（ＯＵＩ：organizationally unique identifier）であり得る。最後の２つのオクテットは、上記で説明したインジケータを含むイーサタイプフィールドであり得る。
【００５５】
いくつかの態様では、ワイヤレスデバイス２０２ｔとワイヤレスデバイス２０２ｒとの間にパケットの通信の２つ以上のセッションまたはフローがあり得る。上記で説明したメッセージ交換またはシグナリングを使用するセッションまたはフローの各々について、異なる圧縮プロトコルが定義され得る。さらに、各セッションまたはフローは、セッションまたはフローに関連する識別子（たとえば、ＴＩＤなど、セッションまたはフローのデータパケットのためのヘッダ中のビット）を有し得る。したがって、特定のセッションまたはフローのデータパケットを受信するワイヤレスデバイス２０２は、データパケットのために使用された圧縮プロトコルが、セッションまたはフローに関連する圧縮プロトコルと同じであることを判断し得る。
【００５６】
本明細書で説明するシステムおよび方法に従って使用され得る様々な圧縮プロトコルについて、以下でさらに説明する。
【００５７】
一態様では、本明細書で説明するシステムおよび方法に従って使用され得る１つの圧縮プロトコルは、ＷｉＦｉプロトコル上のＲＯＨＣである。ＷｉＦｉプロトコル上のＲＯＨＣでは、ワイヤレスデバイス２０２ｔとワイヤレスデバイス２０２ｒとの間のＷｉＦｉプロトコル上のＲＯＨＣの使用のネゴシエーション中に、いくつかのパラメータが交換され得る。そのようなパラメータは、以下のうちの１つまたは複数を含み得る。ＩＰ圧縮プロトコル、（コンテキスト識別子の最大値を示す）ＭＡＸ＿ＣＩＤ、ＭＲＲＵ（最大再構成受信ユニット（復元器がセグメントから再アセンブルすることが予想されるオクテット中の最大再構成ユニットのサイズ））、ＭＡＸ＿ＨＥＡＤＥＲ（圧縮され得るオクテット中の最大ヘッダサイズ）、およびＲＯＨＣプロファイル。パラメータは、上記で説明したネゴシエーションに従って交換され得る。別の態様では、ＲＯＨＣセットアップの一部として実行される既存のネットワーク発見プロトコル（たとえば、アドレス解決プロトコル）は、ＲＯＨＣセットアップメッセージ中にパラメータを含むことなどによって、パラメータを交換するために使用される。これらのパラメータは、したがって、ＷｉＦｉプロトコル上のＲＯＨＣを使用して送信されるパケットのための圧縮ヘッダ中に含まれないことがある。圧縮ヘッダは、パケットを復号するためにパラメータとともに使用される他の情報を含み得る。
【００５８】
別の態様では、本明細書で説明するシステムおよび方法に従って使用され得る別の圧縮プロトコルは、フローベースヘッダ圧縮プロトコルである。フローベースヘッダ圧縮プロトコルでは、ワイヤレスデバイス２０２ｔとワイヤレスデバイス２０２ｒとの間のフローベースヘッダ圧縮プロトコルの使用のネゴシエーション中に、半静的または静的なパラメータが交換され得る。そのような半静的または静的なパラメータは、ワイヤレスデバイス２０２ｔとワイヤレスデバイス２０２ｒとの間の（フローのパケットのための少なくともソースアドレスと宛先アドレスとによって定義され得る）各ＩＰフローについて異なり得る。そのような半静的または静的なパラメータは、以下のヘッダフィールドのうちの１つまたは複数からのフィールドを含み得る。ＩＰｖ４ヘッダ、ＩＰｖ６ヘッダ、ＴＣＰヘッダ、ＵＤＰヘッダ、ＬＬＣ／ＳＮＡＰヘッダ、アプリヘッダ（たとえば、ｈｔｔｐなど）。ＩＰｖ４では、半静的または静的なパラメータは、以下のフィールドのうちの１つまたは複数を含み得る。バージョン、インターネットヘッダ長（ＩＨＬ）差別化サービスコードポイント（ＤＳＣＰ：differentiated services code point）、プロトコル、ヘッダチェックサム、ソースアドレス、および宛先アドレス。ＩＰｖ６では、半静的または静的なパラメータは、以下のフィールドのうちの１つまたは複数を含み得る。バージョン、トラフィッククラス、フローラベル、ソースアドレス、および宛先アドレス。ＴＣＰでは、半静的または静的なパラメータは、以下のフィールドのうちの１つまたは複数を含み得る。ソースポート、宛先ポート、および予約済み。ＵＤＰでは、半静的または静的なパラメータは、以下のフィールドのうちの１つまたは複数を含み得る。ソースポートおよび宛先ポート。
【００５９】
パラメータは、上記で説明したネゴシエーションに従って交換され得る。別の態様では、セットアップの一部として実行される既存のネットワーク発見プロトコル（たとえば、アドレス解決プロトコル）は、セットアップメッセージ中にパラメータを含むことなどによって、パラメータを交換するために使用される。これらのパラメータは、したがって、フローベースヘッダ圧縮プロトコルを使用して送信されるパケットのための圧縮ヘッダ中に含まれないことがある。圧縮ヘッダは、パケットを復号するためにパラメータとともに使用される他の情報（たとえば、パラメータよりもしばしばパケット間で変化するヘッダフィールドの動的フィールド）を含み得る。ＩＰｖ４では、動的フィールドは、以下のフィールドのうちの１つまたは複数を含み得る。明示的輻輳通知（ＥＣＮ）、全長、識別情報、フラグ、フラグメントオフセット、有効期間（ＴＴＬ）、およびオプション。ＩＰｖ６では、動的フィールドは、以下のフィールドのうちの１つまたは複数を含み得る。ペイロード長、次のヘッダ、およびホップ制限。ＴＣＰでは、動的フィールドは、以下のフィールドのうちの１つまたは複数を含み得る。制御ビット、シーケンス番号、肯定応答番号、ＥＣＮ、データオフセット、ウィンドウ、およびチェックサム。ＵＤＰでは、動的フィールドは、以下のフィールドのうちの１つまたは複数を含み得る。長さおよびチェックサム。
【００６０】
別の態様では、本明細書で説明するシステムおよび方法に従って使用され得る別の圧縮プロトコルは、ＷｉＦｉプロトコル上の修正された６ＬｏＷＰＡＮである。ＷｉＦｉプロトコル上の修正された６ＬｏＷＰＡＮでは、ワイヤレスデバイス２０２ｔとワイヤレスデバイス２０２ｒとの間のＷｉＦｉプロトコル上の修正された６ＬｏＷＰＡＮの使用のネゴシエーション中に、いくつかのパラメータが交換され得る。ＭＡＣ識別子など、他のパラメータは、本質的に知られており、交換されないことがある。パラメータは、上記で説明したネゴシエーションに従って交換され得る。別の態様では、セットアップの一部として実行される既存のネットワーク発見プロトコル（たとえば、アドレス解決プロトコル）は、セットアップメッセージ中にパラメータを含むことなどによって、パラメータを交換するために使用される。これらのパラメータは、したがって、ＷｉＦｉプロトコル上の修正された６ＬｏＷＰＡＮを使用して送信されるパケットのための圧縮ヘッダ中に含まれないことがある。圧縮ヘッダは、パケットを復号するためにパラメータとともに使用される他の情報を含み得る。
【００６１】
図３に、圧縮プロトコルの使用をネゴシエートするための方法３００の一態様を示す。方法３００は、上記で説明したように、ワイヤレスデバイス２０２ｔとワイヤレスデバイス２０２ｒとの間の特定の通信のためにどの（１つまたは複数の）圧縮プロトコルが使用されるべきであるかをネゴシエートするために使用され得る。方法３００についてワイヤレスデバイス２０２ｔの要素に関して以下で説明するが、本明細書で説明するステップのうちの１つまたは複数を実装(implement)するために他の構成要素が使用され得ることを当業者は諒解されよう。
【００６２】
ブロック３０２において、ワイヤレスデバイス２０２ｔは、ワイヤレスデバイス２０２ｔとワイヤレスデバイス２０２ｒとの間の通信のために使用される１つまたは複数の圧縮プロトコルを選択する。次に、ブロック３０４において、ワイヤレスデバイス２０２ｔは、選択された（１つまたは複数の）圧縮プロトコルを示す情報をワイヤレスデバイス２０２ｒに送る。場合によっては、選択された（１つまたは複数の）圧縮プロトコルを示す情報とともに、またはその情報とは別個に、ワイヤレスデバイス２０２ｔは、選択された（１つまたは複数の）圧縮プロトコルに関係するパラメータを送る。続いて、ブロック３０６において、ワイヤレスデバイス２０２ｒは、情報および場合によってはパラメータの受信に肯定応答する応答を送り、ワイヤレスデバイス２０２ｔはその応答を受信する。
【００６３】
図４は、ワイヤレス通信システム１００内で採用され得る別の例示的なワイヤレスデバイス４００の機能ブロック図である。デバイス４００は、ワイヤレスデバイス４００とワイヤレスデバイス２０２ｒとの間の通信のために使用される１つまたは複数の通信プロトコルを選択するための選択モジュール４０２を備える。選択モジュール４０２は、図３に示したブロック３０２に関して上記で説明した１つまたは複数の機能を実行するように構成され得る。選択モジュール４０２は、プロセッサ２０４およびＤＳＰ２２０のうちの１つまたは複数に対応し得る。デバイス４００は、選択された（１つまたは複数の）圧縮プロトコルおよび場合によってはパラメータを示す情報をワイヤレスデバイス２０２ｒに送信するための送信モジュール４０４をさらに備える。送信モジュール４０４は、図３に示したブロック３０４に関して上記で説明した１つまたは複数の機能を実行するように構成され得る。送信モジュール４０４は送信機２１０に対応し得る。デバイス４００は、情報および場合によってはパラメータの受信に肯定応答する応答を受信するための受信モジュール４０６をさらに備える。受信モジュール４０６は、図３に示したブロック３０６に関して上記で説明した１つまたは複数の機能を実行するように構成され得る。受信モジュール４０６は受信機２１２に対応し得る。
【００６４】
図５に、圧縮プロトコルを使用して、圧縮ヘッダを有するデータパケットを通信するための方法５００の一態様を示す。方法５００についてワイヤレスデバイス２０２ｒの要素に関して以下で説明するが、本明細書で説明するステップのうちの１つまたは複数を実装するために他の構成要素が使用され得ることを当業者は諒解されよう。
【００６５】
ブロック５０２において、圧縮プロトコルのネゴシエーションの後に、ワイヤレスデバイス２０２ｒにおいてパケットを備えるワイヤレス通信を受信する。
【００６６】
その後、ブロック５０４において、データパケット中で（本質的にまたは明確に）示された圧縮プロトコルおよび／またはネゴシエーション中に受信されたパラメータに従ってデータパケットを処理する。
【００６７】
図６は、ワイヤレス通信システム１００内で採用され得る別の例示的なワイヤレスデバイス６００の機能ブロック図である。デバイス６００は、データパケットをワイヤレス受信するための受信モジュール６０２を備える。いくつかの態様では、パケットは、圧縮プロトコルを使用して圧縮される。受信モジュール６０２は、図５に示したブロック５０２に関して上記で説明した１つまたは複数の機能を実行するように構成され得る。受信モジュール６０２は受信機２１２に対応し得る。デバイス６００は、データパケット中で（本質的にまたは明確に）示された圧縮プロトコルおよび／またはネゴシエーション中に受信されたパラメータに従ってパケットを処理するための処理モジュール６０４をさらに備える。処理モジュール６０４は、図５に示したブロック５０４に関して上記で説明した１つまたは複数の機能を実行するように構成され得る。処理モジュール６０４は、プロセッサ２０４、信号検出器２１８、およびＤＳＰ２２０のうちの１つまたは複数に対応し得る。
【００６８】
本明細書で使用する「判断」という用語は、多種多様なアクションを包含する。たとえば、「判断」は、計算、算出、処理、導出、調査、探索（たとえば、テーブル、データベースまたは別のデータ構造での探索）、確認などを含み得る。また、「判断」は、受信（たとえば、情報を受信すること）、アクセス（たとえば、メモリ中のデータにアクセスすること）などを含み得る。また、「判断」は、解決、選択、選定、確立などを含み得る。さらに、本明細書で使用する「チャネル幅」は、いくつかの態様では帯域幅を包含することがあるか、または帯域幅と呼ばれることもある。
【００６９】
本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするものとする。
【００７０】
上記で説明した方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。一般に、図に示すどの動作も、その動作を実行することが可能な対応する機能的手段によって実行され得る。
【００７１】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００７２】
１つまたは複数の態様では、説明した機能は、ハードウェア、ソフトウェア、ファームウェア、またはそれらの任意の組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含めるべきである。
【００７３】
本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【００７４】
説明した機能は、ハードウェア、ソフトウェア、ファームウェア、またはそれらの組合せで実装され得る。ソフトウェアで実装した場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。
【００７５】
したがって、いくつかの態様は、本明細書で提示した動作を実行するためのコンピュータプログラム製品を備え得る。たとえば、そのようなコンピュータプログラム製品は、本明細書で説明する動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【００７６】
ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【００７７】
さらに、本明細書で説明した方法および技法を実行するためのモジュールおよび／または他の適切な手段は、適用可能な場合にユーザ端末および／または基地局によってダウンロードおよび／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに提供するための任意の他の好適な技法が利用され得る。
【００７８】
特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
【００７９】
上記は本開示の態様を対象とするが、本開示の他の態様およびさらなる態様は、それの基本的範囲から逸脱することなく考案され得、それの範囲は以下の特許請求の範囲によって判断される。
【図１】
2014535204.tif 000003
【図２】
2014535204.tif 000004
【図３】
2014535204.tif 000005
【図４】
2014535204.tif 000006
【図５】
2014535204.tif 000007
【図６】
2014535204.tif 000008
【図７】
2014535204.tif 000009
【図８】
2014535204.tif 000010
【図９】
2014535204.tif 000011
【図１０】
2014535204.tif 000012
【手続補正書】
【提出日】平成26年6月23日(2014.6.23)
【手続補正１】
【補正対象書類名】特許請求の範囲
【補正対象項目名】全文
【補正方法】変更
【補正の内容】
【特許請求の範囲】
【請求項１】
ワイヤレスネットワークにおいて通信する方法であって、
第１の装置と第２の装置との間で通信されるデータパケットの第１のレイヤにおける第１のヘッダを圧縮するのに使用するため、複数の圧縮プロトコルから少なくとも１つの圧縮プロトコルを第１の装置において選択することと；
前記第１の装置から前記第２の装置に前記少なくとも１つの圧縮プロトコルを示す情報を送信することと、前記情報は、前記データパケットの前記第１のレイヤとは異なる第２のレイヤにおける第２のヘッダ中に含まれ、ここで、前記第２のレイヤは、メディアアクセス制御レイヤの上のレイヤを備える；
前記データパケットを前記第１の装置から前記第２の装置に送信することと、前記データパケットは、前記少なくとも１つの圧縮プロトコルに基づいて圧縮され、ここで、前記第２のレイヤは、前記第１のレイヤの上の１つまたは複数のレイヤである；
を備える、方法。
【請求項２】
前記情報の受信を示す応答メッセージを、前記第２の装置から受信することをさらに備える、請求項１に記載の方法。
【請求項３】
前記少なくとも１つの圧縮プロトコルを示す前記情報がリンク論理制御ヘッダ中に含まれる、請求項１に記載の方法。
【請求項４】
前記少なくとも１つの圧縮プロトコルを示す前記情報がメディアアクセス制御ヘッダ中に含まれる、請求項１に記載の方法。
【請求項５】
第１のフローの一部として前記第１の装置と前記第２の装置との間で通信されるデータパケットの第１のヘッダを圧縮するために使用する第１の圧縮プロトコルを選択することと、第２のフローの一部として前記第１の装置と前記第２の装置との間で通信されるデータパケットの第３のヘッダを圧縮するために使用する第２の圧縮プロトコルを選択することとをさらに備える、請求項１に記載の方法。
【請求項６】
前記第１の装置から前記第２の装置に第１の圧縮プロトコルを使用して圧縮された第１のヘッダをもつデータパケットを送信することと、前記第１の装置において前記第２の装置から、第２の圧縮プロトコルを使用して圧縮された第３のヘッダをもつデータパケットを受信することとをさらに備える、請求項１に記載の方法。
【請求項７】
ネゴシエーションの一部として、前記第１の装置から前記第２の装置に非圧縮ヘッダのパラメータを送信することをさらに備え、ここにおいて、前記データパケットが前記ネゴシエーションの後に送信され、前記データパケットが、前記パラメータを含まない圧縮ヘッダを備え、前記データパケットが、前記パラメータと前記圧縮ヘッダとの組合せに基づいて復号可能である、請求項１に記載の方法。
【請求項８】
ワイヤレスネットワークにおいて通信するための第１の装置であって、
前記第１の装置と第２の装置との間で通信されるデータパケットの第１のレイヤにおける第１のヘッダを圧縮するために使用する複数の圧縮プロトコルから少なくとも１つの圧縮プロトコルを選択するように構成されたプロセッサと、
送信機とを備え、前記送信機は、
前記第２の装置に前記少なくとも１つの圧縮プロトコルを示す情報を送信することであって、前記情報は、前記データパケットの前記第１のレイヤとは異なる第２のレイヤにおける第２のヘッダ中に含まれ、ここで、前記第２のレイヤは、メディアアクセス制御レイヤの上のレイヤを備える；
前記第２の装置に前記少なくとも１つの圧縮プロトコルに基づいて圧縮された前記データパケットを送信することと、ここで、前記第２のレイヤは、前記第１のレイヤの上の１つまたは複数のレイヤである；
ように構成された、第１の装置。
【請求項９】
前記情報の受信を示す応答メッセージを、前記第２の装置から受信するように構成された受信機をさらに備える、請求項８に記載の第１の装置。
【請求項１０】
前記少なくとも１つの圧縮プロトコルを示す前記情報がリンク論理制御ヘッダ中に含まれる、請求項８に記載の第１の装置。
【請求項１１】
前記少なくとも１つの圧縮プロトコルを示す前記情報がメディアアクセス制御ヘッダ中に含まれる、請求項８に記載の第１の装置。
【請求項１２】
前記プロセッサが、第１のフローの一部として前記第１の装置と前記第２の装置との間で通信されるデータパケットの第１のヘッダを圧縮するために使用する第１の圧縮プロトコルを選択することと、第２のフローの一部として前記第１の装置と前記第２の装置との間で通信されるデータパケットの第３のヘッダを圧縮するために使用する第２の圧縮プロトコルを選択することとを行うようにさらに構成された、請求項８に記載の第１の装置。
【請求項１３】
前記送信機が、前記第１の装置から前記第２の装置に第１の圧縮プロトコルを使用して圧縮された第１のヘッダをもつデータパケットを送信するようにさらに構成され、前記第１の装置において前記第２の装置から、第２の圧縮プロトコルを使用して圧縮された第３のヘッダをもつデータパケットを受信するように構成された受信機をさらに備える、請求項８に記載の第１の装置。
【請求項１４】
前記送信機が、ネゴシエーションの一部として、前記第１の装置から前記第２の装置に非圧縮ヘッダのパラメータを送信するようにさらに構成され、ここにおいて、前記データパケットが前記ネゴシエーションの後に送信され、前記データパケットが、前記パラメータを含まない圧縮ヘッダを備え、前記データパケットが、前記パラメータと前記圧縮ヘッダとの組合せに基づいて復号可能である、請求項８に記載の第１の装置。
【請求項１５】
ワイヤレスネットワークにおいて通信するための第１の装置であって、
前記第１の装置と第２の装置との間で通信されるデータパケットの第１のレイヤにおける第１のヘッダを圧縮するために使用する複数の圧縮プロトコルから少なくとも１つの圧縮プロトコルを選択するための手段と；
前記少なくとも１つの圧縮プロトコルを示す情報を前記第１の装置から前記第２の装置に送信するための手段であって、前記情報は、前記データパケットの、前記第１のレイヤとは異なる第２のレイヤにおける第２のヘッダ中に含まれ、ここで、前記第２のレイヤは、メディアアクセス制御レイヤの上のレイヤを備える；
前記少なくとも１つの圧縮プロトコルに基づいて圧縮された前記データパケットを前記第１の装置から前記第２の装置に送信するための手段と、ここで、前記第２のレイヤは、前記第１のレイヤの上の１つまたは複数のレイヤである；
を備える、第１の装置。
【請求項１６】
前記情報の受信を示す応答メッセージを、前記第２の装置から受信するための手段をさらに備える、請求項１５に記載の第１の装置。
【請求項１７】
前記少なくとも１つの圧縮プロトコルを示す前記情報がリンク論理制御ヘッダ中に含まれる、請求項１５に記載の第１の装置。
【請求項１８】
前記少なくとも１つの圧縮プロトコルを示す前記情報がメディアアクセス制御ヘッダ中に含まれる、請求項１５に記載の第１の装置。
【請求項１９】
第１のフローの一部として前記第１の装置と前記第２の装置との間で通信されるデータパケットの第１のヘッダを圧縮するために使用する第１の圧縮プロトコルを選択するための手段と、第２のフローの一部として前記第１の装置と前記第２の装置との間で通信されるデータパケットの第３のヘッダを圧縮するために使用する第２の圧縮プロトコルを選択するための手段とをさらに備える、請求項１５に記載の第１の装置。
【請求項２０】
前記第１の装置から前記第２の装置に第１の圧縮プロトコルを使用して圧縮された第１のヘッダをもつデータパケットを送信するための手段と、前記第１の装置において前記第２の装置から、第２の圧縮プロトコルを使用して圧縮された第３のヘッダをもつデータパケットを受信するための手段とをさらに備える、請求項１５に記載の第１の装置。
【請求項２１】
ネゴシエーションの一部として、前記第１の装置から前記第２の装置に非圧縮ヘッダのパラメータを送信するための手段をさらに備え、前記データパケットが前記ネゴシエーションの後に送信され、前記データパケットが、前記パラメータを含まない圧縮ヘッダを備え、前記データパケットが、前記パラメータと前記圧縮ヘッダとの組合せに基づいて復号可能である、請求項１５に記載の第１の装置。
【請求項２２】
実行されたとき、第１の装置に、
前記第１の装置と第２の装置との間で通信されたデータパケットの第１のレイヤにおける第１のヘッダを圧縮するために使用する少なくとも１つの圧縮プロトコルを複数の圧縮プロトコルから選択することと；
前記少なくとも１つの圧縮プロトコルを示す情報を前記第１の装置から前記第２の装置に送信することであって、前記情報は、前記データパケットの、前記第１のレイヤとは異なる第２のレイヤにおける第２のヘッダ中に含まれここで、前記第２のレイヤは、メディアアクセス制御レイヤの上のレイヤを備える；
前記少なくとも１つの圧縮プロトコルに基づいて圧縮された前記データパケットを前記第１の装置から前記第２の装置に送信することと、ここで、前記第２のレイヤは、前記第１のレイヤの上の１つまたは複数のレイヤである；
を行わせる命令を備えるコンピュータ可読媒体。
【請求項２３】
前記命令が、実行されたとき、前記第１の装置にさらに、前記情報の受信を示す応答メッセージを、前記第２の装置から受信させる、請求項２２に記載のコンピュータ可読媒体。
【請求項２４】
前記少なくとも１つの圧縮プロトコルを示す前記情報がリンク論理制御ヘッダ中に含まれる、請求項２２に記載のコンピュータ可読媒体。
【請求項２５】
前記少なくとも１つの圧縮プロトコルを示す前記情報がメディアアクセス制御ヘッダ中に含まれる、請求項２２に記載のコンピュータ可読媒体。
【請求項２６】
前記命令が、実行されたとき、前記第１の装置にさらに、第１のフローの一部として前記第１の装置と前記第２の装置との間で通信されるデータパケットの第１のヘッダを圧縮するために使用する第１の圧縮プロトコルを選択することと、第２のフローの一部として前記第１の装置と前記第２の装置との間で通信されるデータパケットの第３のヘッダを圧縮するために使用する第２の圧縮プロトコルを選択することとを行わせる、請求項２２に記載のコンピュータ可読媒体。
【請求項２７】
前記命令が、実行されたとき、前記第１の装置にさらに、前記第１の装置から前記第２の装置に第１の圧縮プロトコルを使用して圧縮された第１のヘッダをもつデータパケットを送信させ、前記命令が、実行されたとき、前記第１の装置にさらに、前記第１の装置において前記第２の装置から、第２の圧縮プロトコルを使用して圧縮された第３のヘッダをもつデータパケットを受信させる、請求項２２に記載のコンピュータ可読媒体。
【請求項２８】
前記命令が、実行されたとき、前記第１の装置にさらに、ネゴシエーションの一部として、前記第１の装置から前記第２の装置に非圧縮ヘッダのパラメータを送信させ、前記データパケットが前記ネゴシエーションの後に送信され、前記データパケットが、前記パラメータを含まない圧縮ヘッダを備え、前記データパケットが、前記パラメータと前記圧縮ヘッダとの組合せに基づいて復号可能である、請求項２２に記載のコンピュータ可読媒体。
【手続補正２】
【補正対象書類名】明細書
【補正対象項目名】００７９
【補正方法】変更
【補正の内容】
【００７９】
上記は本開示の態様を対象とするが、本開示の他の態様およびさらなる態様は、それの基本的範囲から逸脱することなく考案され得、それの範囲は以下の特許請求の範囲によって判断される。
以下に本願出願当初の特許請求の範囲を付記する。
[Ｃ１]  ワイヤレスネットワークにおいて通信する方法であって、
第１の装置と第２の装置との間で通信されるデータパケットの第１のヘッダを圧縮するのに使用するため、複数の圧縮プロトコルから少なくとも１つの圧縮プロトコルを第１の装置において選択することと、
前記第１の装置から前記第２の装置に前記少なくとも１つの圧縮プロトコルを示す情報を送信することと、前記情報は、前記データパケットの第２のヘッダ中に含まれる；
前記少なくとも１つの圧縮プロトコルに基づいて圧縮された前記データパケットを前記第１の装置から前記第２の装置に送信することと
を備える、方法。
[Ｃ２]  前記圧縮プロトコルが、メディアアクセス制御レイヤの上のレイヤにおいてデータパケットを圧縮するように構成された、Ｃ１に記載の方法。
[Ｃ３]  前記情報の受信を示す応答メッセージを、前記第２の装置から受信することをさらに備える、Ｃ１に記載の方法。
[Ｃ４]  前記情報を送信することが、管理フレームの一部として前記情報を送信することを備える、Ｃ１に記載の方法。
[Ｃ５]  前記少なくとも１つの圧縮プロトコルを示す前記情報がリンク論理制御ヘッダ中に含まれる、Ｃ１に記載の方法。
[Ｃ６]  前記少なくとも１つの圧縮プロトコルを示す前記情報がメディアアクセス制御ヘッダ中に含まれる、Ｃ１に記載の方法。
[Ｃ７]  第１のフローの一部として前記第１の装置と前記第２の装置との間で通信されるデータパケットの第１のヘッダを圧縮するために使用する第１の圧縮プロトコルを選択することと、第２のフローの一部として前記第１の装置と前記第２の装置との間で通信されるデータパケットの第３のヘッダを圧縮するために使用する第２の圧縮プロトコルを選択することとをさらに備える、Ｃ１に記載の方法。
[Ｃ８]   前記第１の装置から前記第２の装置に第１の圧縮プロトコルを使用して圧縮された第１のヘッダをもつデータパケットを送信することと、前記第１の装置において前記第２の装置から、第２の圧縮プロトコルを使用して圧縮された第３のヘッダをもつデータパケットを受信することとをさらに備える、Ｃ１に記載の方法。
[Ｃ９]  ネゴシエーションの一部として、前記第１の装置から前記第２の装置に非圧縮ヘッダのパラメータを送信することをさらに備え、ここにおいて、前記データパケットが前記ネゴシエーションの後に送信され、前記データパケットが、前記パラメータを含まない圧縮ヘッダを備え、前記データパケットが、前記パラメータと前記圧縮ヘッダとの組合せに基づいて復号可能である、Ｃ１に記載の方法。
[Ｃ１０]  ワイヤレスネットワークにおいて通信するための第１の装置であって、
前記第１の装置と第２の装置との間で通信されるデータパケットの第１のヘッダを圧縮するために使用する複数の圧縮プロトコルから少なくとも１つの圧縮プロトコルを選択するように構成されたプロセッサと、
送信機とを備え、
前記送信機は、
前記第２の装置に前記少なくとも１つの圧縮プロトコルを示す情報を送信することであって、前記情報は、前記データパケットの第２のヘッダ中に含まれ、
前記第２の装置に前記少なくとも１つの圧縮プロトコルに基づいて圧縮された前記データパケットを送信することと
を行うように構成された、第１の装置。
[Ｃ１１]  前記圧縮プロトコルが、メディアアクセス制御レイヤの上のレイヤにおいてデータパケットを圧縮するように構成された、Ｃ１０に記載の第１の装置。
[Ｃ１２]  前記情報の受信を示す応答メッセージを、前記第２の装置から受信するように構成された受信機をさらに備える、Ｃ１０に記載の第１の装置。
[Ｃ１３]  前記情報を送信することが、管理フレームの一部として前記情報を送信することを備える、Ｃ１０に記載の第１の装置。
[Ｃ１４]  前記少なくとも１つの圧縮プロトコルを示す前記情報がリンク論理制御ヘッダ中に含まれる、Ｃ１０に記載の第１の装置。
[Ｃ１５]  前記少なくとも１つの圧縮プロトコルを示す前記情報がメディアアクセス制御ヘッダ中に含まれる、Ｃ１０に記載の第１の装置。
[Ｃ１６]  前記プロセッサが、第１のフローの一部として前記第１の装置と前記第２の装置との間で通信されるデータパケットの第１のヘッダを圧縮するために使用する第１の圧縮プロトコルを選択することと、第２のフローの一部として前記第１の装置と前記第２の装置との間で通信されるデータパケットの第３のヘッダを圧縮するために使用する第２の圧縮プロトコルを選択することとを行うようにさらに構成された、Ｃ１０に記載の第１の装置。
[Ｃ１７]  前記送信機が、前記第１の装置から前記第２の装置に第１の圧縮プロトコルを使用して圧縮された第１のヘッダをもつデータパケットを送信するようにさらに構成され、前記第１の装置において前記第２の装置から、第２の圧縮プロトコルを使用して圧縮された第３のヘッダをもつデータパケットを受信するように構成された受信機をさらに備える、Ｃ１０に記載の第１の装置。
[Ｃ１８]  前記送信機が、ネゴシエーションの一部として、前記第１の装置から前記第２の装置に非圧縮ヘッダのパラメータを送信するようにさらに構成され、ここにおいて、前記データパケットが前記ネゴシエーションの後に送信され、前記データパケットが、前記パラメータを含まない圧縮ヘッダを備え、前記データパケットが、前記パラメータと前記圧縮ヘッダとの組合せに基づいて復号可能である、Ｃ１０に記載の第１の装置。
[Ｃ１９]  ワイヤレスネットワークにおいて通信するための第１の装置であって、
前記第１の装置と第２の装置との間で通信されたデータパケットの第１のヘッダを圧縮するために使用する複数の圧縮プロトコルから少なくとも１つの圧縮プロトコルを選択するための手段と、
前記少なくとも１つの圧縮プロトコルを示す情報を前記第１の装置から前記第２の装置に送信するための手段であって、前記情報は、前記データパケットの第２のヘッダ中に含まれ、
前記少なくとも１つの圧縮プロトコルに基づいて圧縮された前記データパケットを前記第１の装置から前記第２の装置に送信するための手段と
を備える、第１の装置。
[Ｃ２０]  前記圧縮プロトコルが、メディアアクセス制御レイヤの上のレイヤにおいてデータパケットを圧縮するように構成された、Ｃ１９に記載の第１の装置。
[Ｃ２１]  前記情報の受信を示す応答メッセージを、前記第２の装置から受信するための手段をさらに備える、Ｃ１９に記載の第１の装置。
[Ｃ２２]  前記情報を送信するための手段が、管理フレームの一部として前記情報を送信するための手段を備える、Ｃ１９に記載の第１の装置。
[Ｃ２３]  前記少なくとも１つの圧縮プロトコルを示す前記情報がリンク論理制御ヘッダ中に含まれる、Ｃ１９に記載の第１の装置。
[Ｃ２４]  前記少なくとも１つの圧縮プロトコルを示す前記情報がメディアアクセス制御ヘッダ中に含まれる、Ｃ１９に記載の第１の装置。
[Ｃ２５]  第１のフローの一部として前記第１の装置と前記第２の装置との間で通信されるデータパケットの第１のヘッダを圧縮するために使用する第１の圧縮プロトコルを選択するための手段と、第２のフローの一部として前記第１の装置と前記第２の装置との間で通信されるデータパケットの第３のヘッダを圧縮するために使用する第２の圧縮プロトコルを選択するための手段とをさらに備える、Ｃ１９に記載の第１の装置。
[Ｃ２６]   前記第１の装置から前記第２の装置に第１の圧縮プロトコルを使用して圧縮された第１のヘッダをもつデータパケットを送信するための手段と、前記第１の装置において前記第２の装置から、第２の圧縮プロトコルを使用して圧縮された第３のヘッダをもつデータパケットを受信するための手段とをさらに備える、Ｃ１９に記載の第１の装置。
[Ｃ２７]  ネゴシエーションの一部として、前記第１の装置から前記第２の装置に非圧縮ヘッダのパラメータを送信するための手段をさらに備え、前記データパケットが前記ネゴシエーションの後に送信され、前記データパケットが、前記パラメータを含まない圧縮ヘッダを備え、前記データパケットが、前記パラメータと前記圧縮ヘッダとの組合せに基づいて復号可能である、Ｃ１９に記載の第１の装置。
[Ｃ２８]  実行されたとき、第１の装置に、
前記第１の装置と第２の装置との間で通信されたデータパケットの第１のヘッダを圧縮するために使用する複数の圧縮プロトコルから少なくとも１つの圧縮プロトコルを選択することと、
前記少なくとも１つの圧縮プロトコルを示す情報を前記第１の装置から前記第２の装置に送信することであって、前記情報は、前記データパケットの第２のヘッダ中に含まれ、
前記少なくとも１つの圧縮プロトコルに基づいて圧縮された前記データパケットを前記第１の装置から前記第２の装置に送信することと
を行わせる命令を備えるコンピュータ可読媒体。
[Ｃ２９]  前記圧縮プロトコルが、メディアアクセス制御レイヤの上のレイヤにおいてデータパケットを圧縮するように構成された、Ｃ２８に記載のコンピュータ可読媒体。
[Ｃ３０]  前記命令が、実行されたとき、前記第１の装置にさらに、前記情報の受信を示す応答メッセージを、前記第２の装置から受信させる、Ｃ２８に記載のコンピュータ可読媒体。
[Ｃ３１]  前記情報を送信することが、前記情報を管理フレームの一部として送信することを備える、Ｃ２８に記載のコンピュータ可読媒体。
[Ｃ３２]  前記少なくとも１つの圧縮プロトコルを示す前記情報がリンク論理制御ヘッダ中に含まれる、Ｃ２８に記載のコンピュータ可読媒体。
[Ｃ３３]  前記少なくとも１つの圧縮プロトコルを示す前記情報がメディアアクセス制御ヘッダ中に含まれる、Ｃ２８に記載のコンピュータ可読媒体。
[Ｃ３４]  前記命令が、実行されたとき、前記第１の装置にさらに、第１のフローの一部として前記第１の装置と前記第２の装置との間で通信されるデータパケットの第１のヘッダを圧縮するために使用する第１の圧縮プロトコルを選択することと、第２のフローの一部として前記第１の装置と前記第２の装置との間で通信されるデータパケットの第３のヘッダを圧縮するために使用する第２の圧縮プロトコルを選択することとを行わせる、Ｃ２８に記載のコンピュータ可読媒体。
[Ｃ３５]  前記命令が、実行されたとき、前記第１の装置にさらに、前記第１の装置から前記第２の装置に第１の圧縮プロトコルを使用して圧縮された第１のヘッダをもつデータパケットを送信させ、前記命令が、実行されたとき、前記第１の装置にさらに、前記第１の装置において前記第２の装置から、第２の圧縮プロトコルを使用して圧縮された第３のヘッダをもつデータパケットを受信させる、Ｃ２８に記載のコンピュータ可読媒体。
[Ｃ３６]  前記命令が、実行されたとき、前記第１の装置にさらに、ネゴシエーションの一部として、前記第１の装置から前記第２の装置に非圧縮ヘッダのパラメータを送信させ、前記データパケットが前記ネゴシエーションの後に送信され、前記データパケットが、前記パラメータを含まない圧縮ヘッダを備え、前記データパケットが、前記パラメータと前記圧縮ヘッダとの組合せに基づいて復号可能である、Ｃ２８に記載のコンピュータ可読媒体。
【国際調査報告】
2014535204.tif 000013
2014535204.tif 000014